(57)【要約】【課題】カラオケ装置とリモコン装置間の無線通信設定の理解について、その容易化を図る。【解決手段】本発明に係るカラオケ装置は、リモコン装置から第１モード関連情報を受信した際、受信した第１モード関連情報中のモード識別情報と、記憶している第２モード関連情報中のモード識別情報が異なる場合、リモコン装置とカラオケ装置の通信モードを一致させるようにユーザに報知する報知処理を実行し、受信した第１モード関連情報中のモード識別情報と、記憶している第２モード関連情報中のモード識別情報が一致する場合、カラオケ装置側通信部に対し、当該モード識別情報に対応する通信モードを使用して、リモコン装置との通信を行う。【選択図】図６
2015125269.tif 000002
【特許請求の範囲】
【請求項１】
リモコン装置と、カラオケ装置を有するカラオケシステムにおいて、
リモコン装置は、送信部と、リモコン装置側通信部と、リモコン装置側制御部と、を備え、
送信部は、カラオケ装置の受信部と通信可能であり、
リモコン装置側通信部は、所定の通信モードにおいてカラオケ装置側通信部と通信可能であり、
制御部は、リモコン装置側設定処理と、モード関連情報送信処理と、を実行可能とし、
リモコン装置側設定処理は、リモコン装置側通信部における通信モードを設定可能とし、
モード関連情報送信処理は、リモコン装置側に設定されているモード識別情報を含む第１モード関連情報を送信し、
カラオケ装置は、記憶部と、受信部と、カラオケ装置側制御部と、を備え、
記憶部は、カラオケ装置側に設定されている識別情報を含む第２モード関連情報を記憶し、
受信部は、リモコン装置の送信部と通信可能であり、
カラオケ装置側制御部は、カラオケ装置側設定処理と、対応付け処理と、を実行可能とし、
カラオケ装置側設定処理は、カラオケ装置側通信部における通信モードを設定可能とし、
対応付け処理は、受信部が第１モード関連情報を受信した際、
受信した第１モード関連情報中のモード識別情報と、記憶している第２モード関連情報中のモード識別情報が異なる場合、リモコン装置とカラオケ装置の通信モードを一致させるようにユーザに報知する報知処理を実行し、
受信した第１モード関連情報中のモード識別情報と、記憶している第２モード関連情報中のモード識別情報が一致する場合、カラオケ装置側通信部に対し、当該モード識別情報に対応する通信モードを使用して、リモコン装置との通信を行う
カラオケシステム。
【請求項２】
第１モード関連情報、第２モード関連情報は、それぞれ、前回、リモコン装置とカラオケ装置間で通信を行ったときから通信モードが変更されたか否かを判定可能なモード変更情報を含み、
対応付け処理は、受信した第１モード関連情報中のモード識別情報と、記憶している第２モード関連情報中のモード識別情報が異なる場合、前回、リモコン装置とカラオケ装置間で通信を行ったときから通信モードが変更されていない側の通信モードを変更するようにユーザに報知する
請求項１に記載のカラオケシステム。
【請求項３】
前記カラオケ装置側通信部は、カラオケ装置が内蔵する内蔵無線通信部と、カラオケ装置に接続された外部無線通信部であり、
カラオケ装置側通信部における通信モードは、内蔵無線通信部を使用した通信モード、外部無線通信部を使用した通信モードである
請求項１または請求項２に記載のカラオケシステム。
【請求項４】
リモコン装置と通信可能なカラオケ装置において、
カラオケ装置は、記憶部と、受信部と、カラオケ装置側制御部と、を備え、
記憶部は、カラオケ装置側に設定されている識別情報を含む第２モード関連情報を記憶し、
受信部は、リモコン装置の送信部と通信可能であり、
カラオケ装置側制御部は、カラオケ装置側設定処理と、対応付け処理と、を実行可能とし、
カラオケ装置側設定処理は、カラオケ装置側通信部における通信モードを設定可能とし、
対応付け処理は、リモコン装置側に設定されているモード識別情報を含む第１モード関連情報を受信部が受信した際、
受信した第１モード関連情報中のモード識別情報と、記憶している第２モード関連情報中のモード識別情報が異なる場合、リモコン装置とカラオケ装置の通信モードを一致させるようにユーザに報知する報知処理を実行し、
受信した第１モード関連情報中のモード識別情報と、記憶している第２モード関連情報中のモード識別情報が一致する場合、カラオケ装置側通信部に対し、当該モード識別情報に対応する通信モードを使用して、リモコン装置との通信を行う
カラオケ装置。
【発明の詳細な説明】
【技術分野】
【０００１】
本発明は、演奏にあわせて歌唱を楽しむことのできるカラオケ装置、並びに、カラオケ装置と、選曲指示等各種指示を送信可能なリモコン装置を有するカラオケシステムに関する。
【背景技術】
【０００２】
カラオケボックス、あるいは、スナックなどのナイト店に設置されるカラオケシステムは、情報通信の普及、並びに、ハードディスクの大容量化に伴い飛躍的にその収録曲数を増加させてきた。近年では１台のカラオケ装置において１０万曲以上の楽曲を収録し、演奏を行うことが可能である。
【０００３】
近年では、インターネットによる情報通信の大容量化、高速化、そして、情報処理機能の高速化によりさらなる機能付加が行われている。例えば、ユーザ認証を行うことで個々の顧客に応じた情報を提供したり、ユーザの歌唱の様子を録画し、インターネット上で公開するなど、幅広いサービスを行うことが可能となっている。
【０００４】
各種店舗にて、このようなサービスを提供する場合、店舗内に設置された通信ネットワーク（ＬＡＮ）が用いられる。現在、この通信ネットワークには、カラオケ装置としてのコマンダのみならず、コマンダに対して演奏する楽曲を指定（予約）したり、前述したようなサービスを受けるための指示を発するリモコン装置が利用される。このリモコン装置は、バッテリーで駆動、並びに、ネットワークへの無線接続にて遠隔操作することが可能となっており、ユーザに対する操作性の向上が図られている。
【０００５】
特許文献１には、このようなリモコン装置を無線でネットワークに接続するカラオケシステムが開示されている。リモコン装置（電子早見本装置２２）は、ＬＡＮ上に設置されたアクセスポイント２６と無線通信することで、リモコン装置からの選曲入力を受けてカラオケ装置１６に送信する等、相互の情報のやりとりを実行可能としている。
【先行技術文献】
【特許文献】
【０００６】
【特許文献１】特開２０１１−２０９６３１号公報
【発明の概要】
【発明が解決しようとする課題】
【０００７】
この特許文献１にみられるように現状のカラオケシステムでは、リモコン装置とカラオケ装置との間で無線ＬＡＮ通信を行う際、カラオケボックス店などのデイ市場では、ネットワーク上に外部装置としてアクセスポイントを設置している。
【０００８】
このような無線ＬＡＮを利用したネットワークの導入は、カラオケ装置を数台〜数十台設置するカラオケボックスでは、アクセスポイント１台を用意してインフラストラクチャモードで、数台〜数十台の無線ＬＡＮ通信を行う。これに対し、スナックなどのナイト店などの小規模な用途においては、コマンダ１台とリモコン装置１台のシステムであったりする。このため、出願人（製造者）側では、カラオケ装置内にリモコン装置と無線通信を行うアクセスポイントに相当する無線ＬＡＮ通信部を設け、無線ＬＡＮ通信する装置が１対１で通信したり、装置数が小規模（例えば、リモコンとカラオケ装置が数台以下）である場合は、アドホックモードで動作させることが多い。このような無線ＬＡＮ機能を備えたカラオケ装置は、ナイト店専用とすることも考えられるが、製造者側としてはコマンダ
の商品種類を、ナイトとデイ市場のカラオケボックスとで統一することが実情である。そのため、カラオケボックスのように複数のカラオケ装置がネットワークに接続されるカラオケシステムにおいても無線ＬＡＮ機能を内蔵したカラオケ装置を使用することが考えられる。
【０００９】
このように、無線ＬＡＮ通信部を内蔵したカラオケ装置においても、使用環境によっては外部に設置されたアクセスポイントを使用して、リモコン装置との通信が行われる場合がある。したがって、カラオケ装置では、無線ＬＡＮ通信部を通信に使用する通信モード、外部に設置されたアクセスポイントを通信に使用する通信モードを切り替える必要がある。また、リモコン装置においても、両モードにおけるＩＰアドレスの体系の相違等を原因として通信モードを切り替える必要がある。
【００１０】
したがって、カラオケ装置とリモコン装置では、両者間において通信モードを一致させる必要がある。しかしながら、両者の通信モード設定は個別に行われることになるため、ユーザが片方のみの通信モードを設定変更した場合、カラオケ装置とリモコン装置間では通信を行うことができなくなってしまう。従来、このような状態をユーザが識別可能することは行われておらず、通信不能となった原因の分からないユーザは、業者側のサービス窓口（コールセンターなど）に問い合わせることが予想され、業者側での対応に対する負荷は大きくなる。
【課題を解決するための手段】
【００１１】
上述する課題を解決するため、本発明に係るカラオケシステムは、以下の構成を採用するものである。
リモコン装置と、カラオケ装置を有するカラオケシステムにおいて、
リモコン装置は、送信部と、リモコン装置側通信部と、リモコン装置側制御部と、を備え、
送信部は、カラオケ装置の受信部と通信可能であり、
リモコン装置側通信部は、所定の通信モードにおいてカラオケ装置側通信部と通信可能であり、
制御部は、リモコン装置側設定処理と、モード関連情報送信処理と、を実行可能とし、
リモコン装置側設定処理は、リモコン装置側通信部における通信モードを設定可能とし、
モード関連情報送信処理は、リモコン装置側に設定されているモード識別情報を含む第１モード関連情報を送信し、
カラオケ装置は、記憶部と、受信部と、カラオケ装置側制御部と、を備え、
記憶部は、カラオケ装置側に設定されている識別情報を含む第２モード関連情報を記憶し、
受信部は、リモコン装置の送信部と通信可能であり、
カラオケ装置側制御部は、カラオケ装置側設定処理と、対応付け処理と、を実行可能とし、
カラオケ装置側設定処理は、カラオケ装置側通信部における通信モードを設定可能とし、
対応付け処理は、受信部が第１モード関連情報を受信した際、
受信した第１モード関連情報中のモード識別情報と、記憶している第２モード関連情報中のモード識別情報が異なる場合、リモコン装置とカラオケ装置の通信モードを一致させるようにユーザに報知する報知処理を実行し、
受信した第１モード関連情報中のモード識別情報と、記憶している第２モード関連情報中のモード識別情報が一致する場合、カラオケ装置側通信部に対し、当該モード識別情報に対応する通信モードを使用して、リモコン装置との通信を行う。
【００１２】
さらに本発明に係るカラオケシステムにおいて、
第１モード関連情報、第２モード関連情報は、それぞれ、前回、リモコン装置とカラオケ装置間で通信を行ったときから通信モードが変更されたか否かを判定可能なモード変更情報を含み、
対応付け処理は、受信した第１モード関連情報中のモード識別情報と、記憶している第２モード関連情報中のモード識別情報が異なる場合、前回、リモコン装置とカラオケ装置間で通信を行ったときから通信モードが変更されていない側の通信モードを変更するようにユーザに報知する。
【００１３】
さらに本発明に係るカラオケシステムにおいて、
前記カラオケ装置側通信部は、カラオケ装置が内蔵する内蔵無線通信部と、カラオケ装置に接続された外部無線通信部であり、
カラオケ装置側通信部における通信モードは、内蔵無線通信部を使用した通信モード、外部無線通信部を使用した通信モードである。
【００１４】
また本発明に係るカラオケ装置において、
リモコン装置と通信可能なカラオケ装置において、
カラオケ装置は、記憶部と、受信部と、カラオケ装置側制御部と、を備え、
記憶部は、カラオケ装置側に設定されている識別情報を含む第２モード関連情報を記憶し、
受信部は、リモコン装置の送信部と通信可能であり、
カラオケ装置側制御部は、カラオケ装置側設定処理と、対応付け処理と、を実行可能とし、
カラオケ装置側設定処理は、カラオケ装置側通信部における通信モードを設定可能とし、
対応付け処理は、リモコン装置側に設定されているモード識別情報を含む第１モード関連情報を受信部が受信した際、
受信した第１モード関連情報中のモード識別情報と、記憶している第２モード関連情報中のモード識別情報が異なる場合、リモコン装置とカラオケ装置の通信モードを一致させるようにユーザに報知する報知処理を実行し、
受信した第１モード関連情報中のモード識別情報と、記憶している第２モード関連情報中のモード識別情報が一致する場合、カラオケ装置側通信部に対し、当該モード識別情報に対応する通信モードを使用して、リモコン装置との通信を行う。
【発明の効果】
【００１５】
本発明のカラオケシステム、並びに、カラオケ装置によれば、カラオケ装置側、リモコン装置側で複数の通信モードを有する形態において、通信を開始する前に、両者間の通信モードが一致していることを確認し、一致していない場合には、リモコン装置とカラオケ装置の通信モードを一致させるように報知することで、ユーザに対し、リモコン装置とカラオケ装置間における通信不能の一原因となる通信モードの相違を、事前に認識させることが可能となる。原因を認識したユーザは、通信モードを一致させるようにカラオケ装置、もしくは、リモコン装置の通信モードを設定することとなる。
【００１６】
さらに本発明のカラオケシステム、並びに、カラオケ装置によれば、カラオケ装置、リモコン装置において、前回通信を行ったときの通信モードから変更されたか否かを判定可能とし、通信モードが変更されていない側の通信モードを変更するように通知することとしている。このような構成では、ユーザの設定の意思に沿うように通信モードを変更することが可能となる。例えば、リモコン装置側において通信モードを変更し、カラオケ装置側の通信モードを変更し忘れた場合、カラオケ装置側の通信モードを変更するように報知することで、ユーザが当初、変更したかった通信モードに変更することが可能となる。
【００１７】
さらに本発明のカラオケシステム、並びに、カラオケ装置によれば、カラオケ装置側通信部は、カラオケ装置が内蔵する内蔵無線通信部と、カラオケ装置に接続された外部無線通信部であり、カラオケ装置側通信部における通信モードは、内蔵無線通信部を使用した通信モード、外部無線通信部を使用した通信モードとしている。このような構成では、前述したように、カラオケボックス、ナイト店のように、使用環境に適した通信モードを選択して使用することが可能である。
【図面の簡単な説明】
【００１８】
【図１】本発明の実施形態に係るカラオケシステム設置の様子を示す模式図
【図２】本発明の実施形態に係るカラオケ装置の構成を示すブロック図
【図３】本発明の実施形態に係るリモコン装置の構成を示すブロック図
【図４】本発明の実施形態に係るカラオケ装置とリモコン装置間の通信を示す図
【図５】本発明の実施形態に係る設定動作確認処理を示すフロー図
【図６】本発明の実施形態に係るシステムの設定確認画面を示す図
【図７】本発明の実施形態に係るカラオケ装置の設定確認画面を示す図
【図８】本発明の実施形態に係るリモコン装置の設定確認画面を示す図
【図９】本発明の実施形態に係る設定動作確認処理の例を示す図
【図１０】本発明の他の実施形態に係る設定動作確認処理の例を示す図
【発明を実施するための形態】
【００１９】
図１は、本発明の実施形態に係るカラオケシステム設置の様子を示した模式図である。この模式図は、カラオケボックスのように、複数の部屋にカラオケ装置（コマンダとも呼ばれる）２ａ〜２ｃが設置された場合の設置例となっている。なお、この設置例は、説明を簡易なものとするための設置例であって、実際のカラオケボックスでは図示された数以上の部屋が設置されることが多い。図１の設置例では、部屋Ａ〜Ｃのそれぞれにカラオケ装置２ａ〜２ｃが設置されている。また、部屋内にはカラオケ装置２ａ〜２ｃを操作可能とするリモコン装置１ａ〜１ｄが配置される。
【００２０】
各部屋に設置されたカラオケ装置２ａ〜２ｃは、有線のＬＡＮ１００に接続されることで店舗内のネットワークを構築している。また、このネットワークには、ルータ１２０と、外部アクセスポイント１１０が接続されている。ルータ１２０は、インターネットに接続されたサーバ装置（図示せず）等と相互に通信を行うことで、カラオケ演奏に必要とされる楽曲情報など、各種カラオケサービスに使用される情報を受信することが可能とされている。外部アクセスポイント１１０（本発明における「カラオケ装置側通信部」の一形態）は、無線ＬＡＮ規格を使用した通信手段であって、内部アクセスポイントを有していないカラオケ装置２、あるいは、無線ＬＡＮを使用可能な各種情報処理装置を無線接続させ、ネットワークに参加させることを可能としている。
【００２１】
本実施形態では、カラオケ装置２ａ〜２ｃは、無線ＬＡＮ通信を行うための内部アクセスポイントを内蔵している。リモコン装置１ａ〜１ｄは、無線ＬＡＮ通信部を備え、カラオケ装置２ａ〜２ｃに内蔵された内部アクセスポイントに無線接続することでネットワークに接続することを可能としている。また、リモコン装置１ａ〜１ｄは、同室内のカラオケ装置２ａ〜２ｃに対応付け（「紐付け」と称することもある）されており、対応付けされたカラオケ装置２ａ〜２ｃとの間で所定の情報通信を行うことを可能としている。
【００２２】
図２には、本発明の実施形態に係るカラオケ装置２の構成を示すブロック図が示されている。図１においては、複数のカラオケ装置２ａ〜２ｃを分けて説明するため、アルファベットの添え字ａ〜ｃを付して説明したが、ここでは添え字を省略して説明する。後で説明するリモコン装置１についても同様である。
【００２３】
カラオケ装置２は、制御部としてのＣＰＵ（中央演算処理部）３０、メモリ２７などを有して構成されている。ＣＰＵ３０は、操作処理部２２と、赤外線通信部２３と、ＬＡＮインターフェイス２４と、音声制御部２５と、メモリ２７と、ビデオＲＡＭ２８と、映像再生部２９と、ＨＤＤ３２と、内部アクセスポイント３３と、電気的に接続されている。メモリ２７は、各種プログラムを実行するにあたって必要となる情報を一時記憶する。制御部は、ＨＤＤ（ハードディスク）３２等の記憶手段に記憶したプログラムを読み出すことで、音声制御部１７や映像再生部２９、内部アクセスポイント３３などの周辺構成に対して、各種処理を実行することが可能である。
【００２４】
また、カラオケ装置２は、カラオケ機能として楽曲を演奏するための演奏手段として音響制御部２５を備える。音響制御部２５は、ＣＰＵ３０などの制御に基づいて、ＨＤＤ３２に記憶する楽曲情報を読み出してＭＩＤＩ音源２６などに演奏させる。この音響制御部２５は、ＭＩＤＩ音源２６で演奏による演奏音声と、マイクロホン４３から入力される歌唱音声とをミキシングしてスピーカ４２から放音させるミキシング機能も有している。
（「スピーカ」名称に統一しました）
【００２５】
また、カラオケ装置２は、ユーザからの各種入力を受け付け可能な入力手段としての操作部２１を備える。また、カラオケ装置２は、操作部２１からの入力を解釈してＣＰＵ３０に伝達する操作処理部２２を備える。また、カラオケ装置２は、各種情報を記憶する記憶手段としてのＨＤＤ３２（ハードディスク）を備える。また、カラオケ装置２は、ＬＡＮ１００に有線接続してネットワークに接続するためのＬＡＮインターフェイス２４を備えている。
【００２６】
また、カラオケ装置２は、外部モニタ４１に対して歌詞映像、背景映像を表示させる映像再生手段を備える。この映像再生手段は、映像情報に基づいて映像を再生する映像再生部２９、再生する映像を一時的に蓄積するビデオＲＡＭ２８、再生された映像に対して歌詞テロップを重畳、並びに、映像効果の付与を実行する映像制御部３１を備えて構成される。
【００２７】
このような構成にてカラオケ装置２は、各種処理を実行することとなるが、カラオケ装置２の主な機能として、楽曲予約処理、楽曲演奏処理、映像表示処理などを実行可能としている。楽曲予約処理は、ユーザからの指定に基づいて楽曲を指定、予約するための処理であってリモコン装置１と連携して実行される。リモコン装置１から送信された予約情報をメモリ２７に記憶する予約テーブルに登録する。楽曲演奏処理は、予約テーブルに登録された予約情報に基づいて順次楽曲を音響制御部２５に対して演奏させる処理である。この楽曲演奏処理に同期して映像再生処理が実行される。この映像再生処理は、映像制御部３１を含んで構成される映像再生手段に対し各種映像情報、歌詞情報などを再生させ、外部モニタ４１を介した視覚情報をユーザに提供し、歌唱補助を行う処理である。
【００２８】
本実施形態のカラオケ装置２は、外部機器と通信を行う構成として、内部アクセスポイント３３（本発明における「カラオケ装置側通信部」の一形態）と、赤外線通信部２３を有して構成される。内部アクセスポイント３３は、無線ＬＡＮ通信によって外部の各種機器と無線通信を可能とする手段である。図１に示される利用形態においては、この内部アクセスポイント３３は、リモコン装置１ａ〜１ｃなど、無線通信手段を備えた各種機器と無線通信を可能としている。
【００２９】
また、赤外線通信部２３（本発明における「受信部」）は、リモコン装置１と同室内に設置されたカラオケ装置２との対応付けを行う際、使用される通信手段であって、本実施
形態では受信機能のみを有する形態となっている。なお、この赤外線通信部２３は、カラオケ装置２が接続対象カラオケ装置として使用される場合に必要とされる構成であり、接続対象外カラオケ装置として使用される場合には必ずしも設ける必要はない。なお、この赤外線通信部２３は、リモコン装置１とネットワークを介した通信ができない場合、リモコン装置１からの予約情報を受信するなど、予備的な通信手段として使用することも可能である。
【００３０】
図３には、リモコン装置１の構成を示すブロック図が示されている。リモコン装置１は、カラオケ装置２に対して予約情報など各種指示を送信するとともに、カラオケ装置２あるいはインターネット上のサーバ装置から各種情報を受信する。リモコン装置１は、リモコン側表示手段としての表示部１１と、ユーザからの各種入力を受け付けるリモコン側入力手段としての操作部１７とを備える。
【００３１】
リモコン装置１は、リモコン装置１全体を統括して制御するための制御部を備えて構成されている。この制御部は、リモコン装置１の各種処理を統括して実行するＣＰＵ１５、各種処理を実行するためのプログラム、並びに、プログラム実行に伴って発生する各種情報を記憶するメモリ１４を含んで構成される。そして、リモコン装置１は、表示部１１に表示させる映像を形成する映像制御部１３、表示する映像情報を一時的に蓄えるビデオＲＡＭ１２、操作部１７からの入力を解釈してＣＰＵ１５に伝達する操作処理部１８を含んで構成されている。なお、リモコン装置１の表示部１１と操作部１７は組となってタッチパネル表示画面を形成することとしてもよい。ＣＰＵ１５は、ビデオＲＡＭ１２と、映像制御部１３と、メモリ１４と、無線ＬＡＮ通信部１６と、操作処理部１８と、赤外線通信部１９と電気的に接続される。
【００３２】
また、リモコン装置１は、カラオケ装置２などの外部機器と無線通信を行う手段として、無線ＬＡＮ通信部１６（本発明における「リモコン装置側通信部」）、赤外線通信部１９（本発明における「送信部」）を備えて構成される。無線ＬＡＮ通信部１６は、複数設置されたカラオケ装置２に内蔵される内部アクセスポイント３３の何れかと無線接続することで、リモコン装置１をネットワークに接続させる。
【００３３】
無線ＬＡＮ通信部１６を使用することでネットワークに無線接続されたリモコン装置１は、ネットワークを介し、対応付けされている特定のカラオケ装置２に対して予約情報など各種指示を送信可能としている。また、リモコン装置１は、カラオケ装置２あるいはインターネット上のサーバ装置などから各種情報を受信することが可能である。
【００３４】
ここでリモコン装置１とカラオケ装置２との対応付けについて説明しておく。対応付けは、別称、くくり付け、あるいは、紐付けと呼ばれ、リモコン装置１と特定のカラオケ装置２との間で楽曲の予約など、所定の情報をやりとり可能とすることを意味している。リモコン装置１とカラオケ装置２間の対応付けは、対応付け処理を実行することで行われる。通常、図１に示されるように、部屋Ａの場合には、同じ部屋で使用されるリモコン装置１ａに対してカラオケ装置２ａが対応付けされる。また、部屋Ｂのように、１つのカラオケ装置２ｂに対して複数のリモコン装置１ｂ、１ｃを対応付けることも可能である。
【００３５】
対応付け処理は、リモコン装置１側の赤外線通信部２３と、カラオケ装置２側の赤外線通信部１９間で通信を行い、個々のリモコン装置１を識別するためのリモコン識別情報（例えば、リモコン装置１の無線ＬＡＮ通信部１６を用いて、他の装置との無線ＬＡＮ通信するときに、他の装置へ通知されるリモコン装置１のＩＰアドレス）をカラオケ装置２のメモリ２７に記憶させる、あるいは、個々のカラオケ装置２を識別するためのカラオケ識別情報をリモコン装置１のメモリ１４に記憶させることなどで行うことが可能である。ネットワークに接続されたリモコン装置１は、無線ＬＡＮ通信部１６を介して各種指示をネ
ットワーク上に送信することとなるが、対応付けられたリモコン装置２では、メモリ２７に記憶している情報に基づいて、対応付けられたリモコン装置１からの指示を選別し、予約処理など自己宛の各種処理を実行することが可能となる。
【００３６】
このようなリモコン装置１の構成により、ユーザからの各種入力を操作部１７にて受付けるとともに、映像情報を表示部１１に表示してユーザに対して各種情報を提供するとともに、カラオケ装置２あるいはカラオケ用ホスト５に対して楽曲予約などの各種指示を送信することが可能となっている。
【００３７】
本実施形態のカラオケ装置２は、内部アクセスポイント３３を使用して対応付けられているリモコン装置１と情報の送受信を行うアドホックモードと、ネットワーク上の外部アクセスポイント１１０を介して対応付けられているリモコン装置１と情報の送受信を行うアクセスポイントモード（ＡＰモード）に切り替えて使用することが可能である。この切替は、図示しないカラオケ装置２側の設定（メニュー、あるいは、スイッチ等を使用した切替）によって行うことが可能である。設定の結果、設定されたモードに対応するモード識別情報を含んだ第２モード関連情報としてカラオケ装置２に記憶される。なお、本実施形態では、カラオケ装置２においてモードが変更された時刻（本発明における「モード変更情報」）を第２モード関連情報に含めて記憶している。
【００３８】
一方、リモコン装置１側においても、アドホックモードとアクセスポイントモードを切り替えて使用することが可能である。この切替も図示しないリモコン装置１側の設定（メニュー、あるいは、スイッチ等を使用した切替）によって行うことが可能である。設定の結果、設定されたモードに対応するモード識別情報を含んだ第１モード関連情報としてリモコン装置２に記憶される。なお、本実施形態では、リモコン装置２においてモードが変更された時刻（本発明における「モード変更情報」）を第２モード関連情報に含めて記憶している。
【００３９】
対応付けを行うリモコン装置１とカラオケ装置２間では、同じモード（アドホックモード、あるいは、アクセスポイントモード）に揃えて設定する必要がある。これは各モードにおいてＩＰアドレスの体系が異なること、アドホックモードでは、アクセスポイントＩＤの選択を必要とするのに対し、アクセスポイントモードでは、アクセスポイントＩＤとチャネルの選択を必要とすること等を理由としている。
【００４０】
このような状況の中、カラオケシステムの設置店側では、両者のモード設定が必要であることに気付かず、片方のみのモード設定を変更してしまい、両装置間で無線通信ができなくなってしまう不都合がある。現状のカラオケシステムでは、このような不都合を解消する手段が無く、設置店側では業者のサービス窓口に問い合わせを行う必要があった。本発明は、このような不都合を解消することを目的とするものであり、リモコン装置１とカラオケ装置２間の対応付け処理時において、モードの違いをユーザに通知することとしている。
【００４１】
図４は、本発明の実施形態に係るカラオケ装置２とリモコン装置１間の通信を示す図であり、リモコン装置１とカラオケ装置２間の対応付け処理から、リモコン装置１とカラオケ装置２間で通信を行うまでの処理を示している。対応付け処理は、リモコン装置１の赤外線通信部１９（本発明の「送信部」）から、カラオケ装置２の赤外線通信部２３（本発明の「受信部」）に対して、無線接続通知を無線送信することで開始する。この無線接続通知は、リモコン装置１側で設定されたモード識別情報を含んだ第１モード関連情報を含んで構成されている。無線接続通知を受信（Ｓ１０１）したカラオケ装置２は、リモコン装置１から受信した第１モード関連情報中のモード識別情報と、カラオケ装置２側で記憶している第２モード関連情報中のモード識別情報を比較する。
【００４２】
比較の結果モードが一致した場合（Ｓ１０２：Ｎｏ）、カラオケ装置２は、設定されているモードにてリモコン装置１との通信を開始する（Ｓ１０３）。両者のモード識別情報がアドホックモードである場合（Ｓ１０４：Ｙｅｓ）、カラオケ装置２は、内部アクセスポイント３３を接続開始要求をブロードキャスト送信する。この接続開始要求に基づきリモコン装置１は、内部アクセスポイント３３を介してカラオケ装置２との無線通信を行う。一方、両者のモード識別情報がアクセスポイントモードである場合（Ｓ１０４：Ｎｏ）、カラオケ装置２は、外部アクセスポイント１１０を接続開始要求をブロードキャスト送信し、カラオケ装置２との無線通信を行う。なお、本実施形態において、カラオケ装置２は、リモコン装置１との通信期間中、適宜タイミングにて最終通信時刻を更新記憶している（Ｓ１０５、Ｓ１０６）。
【００４３】
一方、比較の結果モードが異なった場合（Ｓ１０２：Ｙｅｓ）には、無線通信設定の確認をユーザに促す設定動作確認処理（Ｓ２００）が実行される。図５には、本発明の実施形態に係る設定動作確認処理を示すフロー図が示されている。この設定動作確認処理では、カラオケ装置２は、対応付け処理の要求、すなわち、無線接続通知を送信したリモコン装置１と以前に通信をしたことがあるか否かの確認を行う（Ｓ２０１）。この判定は、無線通信時の履歴中、リモコン装置１の識別情報（ＭＡＣアドレス等）に基づいて判定される。以前に通信をしたことの無いリモコン装置１の場合（Ｓ２０１：Ｎｏ）、カラオケ装置２は、外部モニタ４１に対してシステム（カラオケ装置２、リモコン装置１）の設定確認画面を表示する（Ｓ２０２）。
【００４４】
また、カラオケ装置２にてモードを変更した時刻とリモコン装置１にてモードを変更した時刻が、カラオケ装置２側で記憶する最終通信時刻よりも後であるか否かを判定する（Ｓ２０３）。カラオケ装置２、リモコン装置１、共にモードを変更した時刻が、カラオケ装置２側で記憶する最終通信時刻よりも後である場合（Ｓ２０３：Ｙｅｓ）、Ｓ２０２の場合と同様、カラオケ装置２は、外部モニタ４１に対してシステム（カラオケ装置２、リモコン装置１）の設定確認画面を表示する（Ｓ２０４）。
【００４５】
図６には、本発明の実施形態に係るシステム（カラオケ装置２、リモコン装置１）の設定確認画面が示されている。以前に通信をしたことのないリモコン装置１である場合（Ｓ２０１：Ｎｏ）、あるいは、カラオケ装置２、リモコン装置１、共にモードを変更した時刻が、カラオケ装置２側で記憶する最終通信時刻よりも後である場合（Ｓ２０３：Ｙｅｓ）には、カラオケ装置２、リモコン装置１において、どちらが先に通信モードの変更設定が行われたかを特定することができない。そのため、このシステムの設定確認画面では、ユーザに対して、カラオケ装置２、リモコン装置１、どちらか一方の無線設定を変更することを促すメッセージを表示している。
【００４６】
カラオケ装置２、リモコン装置１、共にモードを変更した時刻が、カラオケ装置２側で記憶する最終通信時刻よりも前であると判定された場合（Ｓ２０３：Ｎｏ）、カラオケ装置２においてモードを変更した時刻が、カラオケ装置２側で記憶している最終通信時刻よりも後であるか否かを判定する（Ｓ２０５）。後である場合（Ｓ２０５：Ｙｅｓ）には、リモコン装置１側の無線通信設定の変更を促す設定確認画面を表示する（Ｓ２０７）。一方、前である場合（Ｓ２０５：Ｎｏ）には、カラオケ装置２側の無線通信設定の変更を促す設定確認画面を表示する（Ｓ２０６）。図７には、カラオケ装置２の設定確認画面が、図８には、リモコン装置１の設定確認画面が示されている。
【００４７】
後である場合（Ｓ２０５：Ｙｅｓ）には、カラオケ装置２とリモコン装置１間の最終通信の後、ユーザによりカラオケ装置１側において無線設定が変更された状態であり、リモコン装置１の無線設定がまだ変更されていないこととなる。本実施形態では、カラオケ装
置１に対して変更を行ったユーザの意図に揃うように、図８に示すよう、リモコン装置１の無線設定を促す設定確認画面を表示することとしている。同様の理由により、前である場合（Ｓ２０５：Ｎｏ）、すなわち、リモコン装置１の無線設定が変更された状態であり、カラオケ装置２の無線設定がまだ変更されていない場合には、図７に示す、カラオケ装置２の無線設定を促す設定確認画面を表示することとしている。
【００４８】
このように本実施形態に係るカラオケシステムでは、リモコン装置１とカラオケ装置２の間で通信モードが異なる場合、ユーザに対してモードの変更を促すこととしている。特に、前回、リモコン装置とカラオケ装置間で通信を行ったときから通信モードが変更されていない側の通信モードを変更するようにユーザに促すことで、以前、通信モードを変更したユーザの変更の意思に揃えて通信モードを変更することが可能となる。
【００４９】
以上説明を行った設定動作確認処理について例を取って説明を行う。図９には、設定動作確認処理の例が示されている。この例では、当初、リモコン装置１とカラオケ装置２間では、ＡＰモード（アクセスポイントモード）を使用して無線通信を行っていた。最終通信（ここでは、最終通信時刻を年月日のみで簡易的に示している）の後、カラオケ装置２側では、ユーザの操作にて、アクセスポイントモードからアドホックモードへと無線モードの変更設定が行われている。そのため、リモコン装置１とカラオケ装置２間で、無線通信を再開すべく、対応付け処理を行った場合、設定動作確認処理では、図８に示されるリモコン装置１の設定確認画面が表示される。設定確認画面を見たユーザは、まだ設定変更の行われていないリモコン装置１側にて無線モードの変更を行い、再度、対応付け処理を行うことで、リモコン装置１とカラオケ装置２間で無線通信（アドホックモード）を開始する。
【００５０】
以上の説明では、カラオケ装置２とリモコン装置１は、アドホックモード、アクセスポイントモードの２種類の通信モードを使用した形態を例にとって説明したが、本発明において、通信モードは２種類に限られるものではなく、３種類以上使用する場合にも適用することが可能である。図１０には、本発明の他の実施形態に係る設定動作確認処理の例が示されている。本実施形態では、Ａモード、Ｂモード、Ｃモード、３種類の通信モードを使用した形態である。このような形態においても、通信モードを揃えるように報知することで、両者の通信モードを揃えて通信を行うことが可能となる。さらに、通信モードを変更していない側（カラオケ装置２またはリモコン装置１）の通信モードを変更するようユーザに促すことで、ユーザの変更の意思に沿った通信モードに揃えることが可能となる。
【符号の説明】
【００５１】
１ａ〜１ｄ…リモコン装置               ２５…音響制御部
１１…表示部                           ２６…ＭＩＤＩ音源
１２…ビデオＲＡＭ                     ２７…メモリ
１３…映像制御部                       ２８…ビデオＲＡＭ
１４…メモリ                           ２９…映像再生部
１５…ＣＰＵ                           ３０…ＣＰＵ
１６…無線ＬＡＮ通信部                 ３１…映像制御部
１７…操作部                           ３２…ＨＤＤ（ハードディスク）
１８…操作処理部                       ３３…内部アクセスポイント
１９…赤外線通信部                     ４１…外部モニタ
２…カラオケ装置（コマンダ）           ４２…スピーカ
２１…操作部                           ４３…マイクロホン
２２…操作処理部                       １００…ＬＡＮ
２３…赤外線通信部                     １１０…外部アクセスポイント
２４…ＬＡＮ通信部                     １２０…ルータ
【図１】
2015125269.tif 000003
【図２】
2015125269.tif 000004
【図３】
2015125269.tif 000005
【図４】
2015125269.tif 000006
【図５】
2015125269.tif 000007
【図６】
2015125269.tif 000008
【図７】
2015125269.tif 000009
【図８】
2015125269.tif 000010
【図９】
2015125269.tif 000011
【図１０】
2015125269.tif 000012